(57)【要約】【課題】  本発明は、剥離紙付き両面粘着テープを必要な長さに巻き出し切断する、粘着テープ切断器に関するものである。【解決手段】  本発明に係る切断器は、テープホルダー（６）に粘着テープ（３）を多重巻きしたテープリール（８）を巻き出し可能に保持し、粘着テープ（３）を巻き出し側に該巻き出し粘着テープの粘着面（３）が粘着する周面を有すると共に粘着テープ（３）の短手巾方向への移動に伴って追随回転するテープガイドローラー（１）（２）を配し、更に粘着テープ（３）の移動進行側に同テープの上記テープガイドローラー（１）（２）周面への粘着下において同テープ（３）厚み面に切る込むカッターブレード（５）を配した構成を有する。【選択図】図４
2005298204.tif 000002
【特許請求の範囲】
【請求項１】
テープホルダーに粘着テープを多重巻きしたテープリールを巻き出し可能に保持し、粘着テープ巻き出し側に該巻き出し粘着テープの粘着面が、粘着する周面を有すると共に、粘着テープの短手巾方向への移動に伴って追随回転するテープガイドローラーを配し、更に粘着テープの移動進行側に同テープの上記テープガイドローラー周面への粘着下において同テープの厚み面に切り込むカッターブレードを配したことを特徴とする粘着テープ切断器。
【請求項２】
上記テープガイドローラーを二個並設し、上記粘着テープが上記テープガイドローラーの一方の周面に粘着し、上記カッターブレードによる切り込みを図る構成としたことを特徴とする請求項１記載の粘着テープ切断器。
【請求項３】
上記テープリールの内面に加圧接触し回転を制動する手段を設けることを特徴とする請求項１記載の粘着テープ切断器。
【発明の詳細な説明】
【技術分野】
【０００１】  本発明は、剥離紙付両面粘着テープに代表される粘着テープを必要な長さに巻き出し、切断する粘着テープ切断器に関するものである。
【背景技術】
【０００２】  従来、粘着テープの粘着面と粘着強度を保護することと、使用時に巻き出しやすくする等の目的で剥離紙を片面に接着した剥離紙付き両面粘着テープをロール状に多重巻きしたテープリールが知られており、使用するときは粘着テープをテープリールから手で巻き出し、必要な長さをハサミで切り取り、剥離紙を貼付していない粘着面を被粘着面に接着してから剥離紙を剥しているが、テープ巻き出し、ハサミによる切断、接着、剥離テープの引き剥し等の一連の作業に手間がかかり面倒でもある。適切な粘着テープ切断器があれば便利であるが、上記両面粘着テープはテープに厚さがあり、従来の片面粘着テープの切断器を適用し難く、その開発が希求されている。
【発明の開示】
【発明が解決しようとする課題】
【０００３】  本発明は、上記問題点を抜本的に改善する粘着テープ切断器を提供するものである。この切断器は、テープホルダーに粘着テープを多重巻きしたテープリールを巻き出し可能に保持し、粘着テープ巻きした側に該巻き出し粘着テープの粘着面が粘着する周面を有すると共に、粘着テープの短手巾方向への移動に伴って追随回転するテープガイドローラーを配し、更に粘着テープの移動進行側に同テープの上記テープガイドローラー周面への粘着下において同テープの厚み面に切り込むカッターブレードを配した構成を有する。
【発明の効果】
【０００４】  粘着テープの一方の粘着面をガイドローラーの周面に粘着し、カッターブレードに対する切り込み姿勢を安定にしながらカッターブレードに切り込み切断することが出来、厚みのある両面粘着テープを容易に、且つ作業性良く切断出来る。又厚みの薄い粘着テープの切断器としても適用し、同様の効果が享受できる。
【発明を実施するための最良の形態】
【実施例１】
【０００５】  本発明に係る粘着テープ切断器の実施形態を図１乃至図７に基づいて詳述する。図１に示すように、テープホルダー（６）は粘着テープ（３）を巻き出し可能に多重巻きしたリール（８）を保有する。摘別として両面粘着テープの片面に剥離紙（３ａ）を接着したテープを多重巻きしたリール（８）を保有する。上記テープホルダー（６）の巻き出し方向前端付近にカッターブレード（５）を設け、その刃先（４）を上向きに配する。該カッターブレード（５）の直上にフリー回転するガイドローラー（１）（２）を僅かに離間して並設し、回転可に軸支する図６に示すようにガイドローラー（１）（２）の外周面に環状溝（９）を形成し、この環状溝（９）内にカッターブレードの刃先（４）を受け入れる。又環状溝（９）は、粘着テープの短手方向への移動進行を容易にする。図３Ａに示すように、テープリール（８）の内面に加圧制動するストッパー（７）を設ける。【０００６】  以下動作に付説明し、構成をより明らかにする。
図２に示すように、粘着テープ（３）を短手方向へ略９０°捩りながら即ちローラー（１）（２）の中心を結ぶ線に対し略垂直となる姿勢に捩りながら、ガイドローラー（１）（２）の直上に巻き出す。図３に示すように、テープリール（８）を外嵌めするホルダーに設けた内輪（１０）の一部で内外へ弾性変位可能な片持ち支片（１０）を形成し、該支片（１０）と一体にストッパー（７）を設け、該ストッパー（７）の突起（１１）を支片（１０）遊離端から外向きに突出する。ストッパー（７）を内側から外側へ向け押圧すると突起（１１）がテープリール（８）の内周面に突き当たるように加圧接触して同リール（８）の回転を制動する。【０００７】  上記テープ巻き出し後、このストッパー（７）にて上記巻き出しを制動しつつ次の切断作業を行う。即ち図３に示すように、ガイドローラー（１）（２）の直上に巻き出した粘着テープのリール（８）の回転を矢印方向にストッパー（７）で押圧制動し、粘着テープ（３）を手でガイドローラー（１）（２）の周面間に短手方向より導入して、テープの片粘着面をローラー（１）の周面に粘着して姿勢を安定にしながら且つテープ（３）をローラー（１）（２）間で挟み、ローラー（１）（２）をテープ移動に追随して回転しながら、カッターブレード（５）の刃先（４）に向かわせる。図４に示すように、更にテープ（３）を下降し、ガイドローラー（１）との粘着を継続しながら、カッターブレード（５）の刃先（４）に切り込ませる。図５に示すように、ガイドローラー（１）（２）を通過し切断を完了する。
【実施例２】
【０００８】  図７に示すように、ガイドローラー（１）１個の場合も上記同様の動作により切断可能である。即ち粘着テープ（３）の一方の粘着面をガイドローラー（１）に周面粘着しながら矢印方向へ移動進入し、ガイドブレード（５）のカッター刃（４）に切り込み切断することが出来る。上記切断器は両面粘着テープの片面に剥離紙を接着した剥離紙付両面粘着テープの切断器として有効であるが、剥離紙を有しない片面粘着テープにも使用可能である。【０００９】  上記テープ巻き出し方向のホルダー前端部には一対の支柱（１２）を並行して立設し、該各支柱（１２）の上端に上記ローラー（１）（２）を軸支し取付ける。又ローラー（１）（２）の下方にブレード取付台（５′）を支柱（１２）と一体に設け、このブレード取付台（５′）を逆Ｖ形の形状にし、その陵線にカッターブレード（５）を差し込み固着する。又分水嶺となる陵線を境に斜面（１３）を有し、この斜面（１３）にて切断後のテープ（３）の移動をスムーズにする。又はカッターブレード（５）にテープが切り込まれた直後に、又切断が完了していないテープ（３′）の切り口を上記斜面（１３）で案内し、切り口を開きながらブレード（５）による切断を追行せしめ、切断性を向上する。
【図面の簡単な説明】
【図１】    本発明に係るテープカッターの一部欠載の正面図、側面図、下面図である。
【図２】    粘着テープ巻き出し一部断面、正面図Ａ、一部拡大図Ｂである。
【図３】    実施例を示すテープ切り込み初期一部断面図Ａ、一部拡大図Ｂである。
【図４】    粘着テープ切断中間を示す一部断面図Ａ、一部拡大図Ｂである。
【図５】    粘着テープ切断完了を示す一部断面図Ａ、一部拡大図Ｂである。
【図６】    カッターブレード上部分の一部拡大断面図を示す及び側面図である。
【図７】    実施例を示す一部拡大図である。
【符号の説明】
１      ガイドローラー
２      ガイドローラー
３      粘着テープ
３′    粘着テープ
３ａ    剥離紙
４      刃先
５      カッターブレード
５′    ブレード取付台
６      テープホルダー
７      ストッパー
８      リール
９      ガイドローラーの環状溝
１０      内輪
１１      突起
１２      支柱
１３      斜面
【図１】
2005298204.tif 000003
【図２】
2005298204.tif 000004
【図３】
2005298204.tif 000005
【図４】
2005298204.tif 000006
【図５】
2005298204.tif 000007
【図６】
2005298204.tif 000008
【図７】
2005298204.tif 000009